(57)【要約】  ラウドスピーカ１４を有するアナウンス装置１２とエンターテインメント装置１６とを有する輸送手段においてアナウンスを行う。本方法は、ａ）アナウンス開始時にアナウンス装置１２からエンターテインメント装置１６にアナウンス開始信号２８を送信し、ｂ）エンターテインメント装置１６によってアナウンス開始信号２８の受信時に再生装置１８の再生を中断させ、ｃ）アナウンス用のラウドスピーカ１４を介してアナウンスを音響的なアナウンス信号３２として再生し、ｄ）エンターテインメント装置１６によって、アナウンス終了信号の受信時又はアナウンス装置からのアナウンス開始信号の受信の終了時に、再生装置１８の再生を継続させる。本方法は、エンターテインメント装置１６により、アナウンス用のラウドスピーカ１４によって出力されたオーディオ信号３０を検出し、オーディオ信号３０が検出された後、再生装置１８の再生が自動的に中断される。
2015512195.tif 000002
【特許請求の範囲】
【請求項１】
少なくとも１つのラウドスピーカ（１４）を有するアナウンス装置（１２）と、エンターテインメント装置（１６）とを有する輸送手段においてアナウンスを行う方法であって、
上記方法は、
ａ）アナウンスの開始時に上記アナウンス装置（１２）から上記エンターテインメント装置（１６）にアナウンス開始信号（２８）を送信するステップと、
ｂ）上記エンターテインメント装置（１６）によって、上記アナウンス開始信号（２８）が受信されたとき、再生装置（１８）の再生を中断させるステップと、
ｃ）アナウンス用のラウドスピーカ（１４）を介して上記アナウンスを音響的なアナウンス信号（３２）として再生するステップと、
ｄ）上記エンターテインメント装置（１６）によって、アナウンス終了信号が受信されたとき、又は上記アナウンス装置からの上記アナウンス開始信号の受信の終了時において、上記再生装置（１８）の再生を継続させるステップとを含み、
上記方法は、上記エンターテインメント装置（１６）により、上記アナウンス用のラウドスピーカ（１４）によって出力されたオーディオ信号（３０）を検出し、上記オーディオ信号（３０）が検出された後、上記再生装置（１８）の再生が自動的に中断されることを特徴とする方法。
【請求項２】
上記オーディオ信号（３０）は、上記アナウンス信号（３２）であり、オーディオ信号アナライザによって検出され、他の雑音から区別され、
上記再生は、上記オーディオ信号の受信の終了時に継続されることを特徴とする請求項１記載の方法。
【請求項３】
上記オーディオ信号アナライザは、上記アナウンス用のラウドスピーカによって生成された上記アナウンス信号（３２）の搬送波周波数を分析することを特徴とする請求項２記載の方法。
【請求項４】
上記オーディオ信号アナライザは、上記アナウンス信号（３２）の音響的な高調波の合計歪みを検出することを特徴とする請求項２又は３記載の方法。
【請求項５】
上記エンターテインメント装置（１６）は、再生装置（１８）のマイクロホンを介して上記オーディオ信号（３０）を検出することを特徴とする請求項１〜４のうちの１つに記載の方法。
【請求項６】
上記オーディオ信号（３０）は、上記アナウンスの開始前に上記アナウンス用のラウドスピーカ（１４）を介して送られる前置信号であり、
再生の終了後、上記アナウンス用のラウドスピーカ（１４）は、上記エンターテインメント装置（１６）によって検出されて上記再生装置（１８）に再生を継続させる後置信号を放射することを特徴とする請求項１〜５のうちの１つに記載の方法。
【請求項７】
アナウンス装置（１２）は、格納されたアナウンスを有するアナウンスメモリ（２２）、及び／又は、人によって話されたアナウンスを記録するためのマイクロホン（２４）を備えることを特徴とする請求項１〜６のうちの１つに記載の方法。
【請求項８】
上記ビデオ／オーディオデータは、上記エンターテインメント装置（１６）のデータサーバ（２０）からルータ（２６）に送信され、上記ルータ（２６）は、上記ビデオ／オーディオデータを上記再生装置（１８）に無線で送信することを特徴とする請求項１〜７のうちの１つに記載の方法。
【請求項９】
ステップａの後、上記再生装置（１８）により上記オーディオ信号（３０）を受信したとき、さらに、アナウンスが進行中であることの視覚的表示を発生させることを特徴とする請求項１〜８のうちの１つに記載の方法。
【請求項１０】
上記再生装置（１８）は、上記アナウンス信号（３２）を上記再生装置（１８）上に表示されるテキストに変換する音声認識装置を備えることを特徴とする請求項１〜９のうちの１つに記載の方法。
【請求項１１】
上記再生装置（１８）は、検出されたアナウンス信号（３２）を音響信号として出力することを特徴とする請求項１〜１０のうちの１つに記載の方法。
【発明の詳細な説明】
【技術分野】
【０００１】
本発明は、飛行機、バス、船、列車などの輸送手段においてアナウンスを行う方法に関する。
【背景技術】
【０００２】
そのような輸送手段において、再生装置からビデオ／オーディオデータを再生することで、エンターテインメント装置により乗客を楽しませることが知られている。再生装置は、ビデオ／オーディオデータの再生のために客室に設置されたモニタであってもよく、関連付けられたオーディオデータをヘッドホンを介して再生するために、例えば乗客座席のアームレストに、各乗客が利用可能なヘッドホンコネクタを有してもよい。代替又は追加として、各乗客座席に固定的に関連付けられた座席モニタは再生装置のように考えられ、乗客座席に統合されたヘッドホンコネクタを介して、関連付けられたオーディオ再生も行われる。
【０００３】
様々な輸送手段において、特別な重要性を有する所定のイベントについて乗客に通知するように乗客へのアナウンスを行うことが必要になるいくつかの状況が生じる。特に、危険な状況では、乗客へのアナウンスに取り組むことが特に重要である。
【０００４】
そのようなアナウンスの場合には、アナウンスが妨害されずに各乗客に聞こえるように、少なくともアナウンスの時にエンターテインメント装置の再生装置においてビデオ／オーディオデータの再生を中断することが必要である。この目的のために、アナウンスの開始時にアナウンス手段からエンターテインメント装置にアナウンス開始信号を送信することが知られている。アナウンス開始信号の送信は、例えばアナウンス手段のサーバからエンターテインメント装置のデータサーバに、有線で行うことができる。アナウンス開始信号を受信したとき、エンターテインメント装置は、自動的に、再生装置上での再生を中断させる。この目的のために、エンターテインメント装置のデータサーバは、対応する再生停止信号を各再生装置に送らなければならない。典型的には、再生されるビデオ／オーディオデータの送信は、エンターテインメント装置のデータサーバからルータまでは有線で行われ、そこから各再生装置までは無線で行われる。
【発明の概要】
【発明が解決しようとする課題】
【０００５】
再生装置上の再生の中断のためのアナウンス装置からエンターテインメント装置までの信号の伝送経路は、エラーを生じやすい。エンターテインメント装置のデータサーバが故障するとき、エンターテインメント装置によってアナウンス開始信号を検出することができない。エンターテインメント装置のルータが誤動作する場合、再生停止信号をデータサーバから再生装置に送信することができない。さらに、無線信号干渉が信号伝送を損なう可能性がある。要約すると、アナウンス中に再生装置によるビデオ／オーディオデータの再生が中断されず、乗客がアナウンスに気付かないという危険性がある。
【０００６】
本発明の目的は、輸送手段においてアナウンスを行うための改善された方法を提供することにある。
【課題を解決するための手段】
【０００７】
本発明の方法は請求項１で定義される。
【０００８】
本方法によれば、オーディオ信号は１つ以上のアナウンス用のラウドスピーカを介して出力され、この信号はエンターテインメント装置によって検出される。エンターテインメント装置によりオーディオ信号を検出することは、自動的に、各再生装置における再生を中断させる。これにより、エンターテインメント装置のデータサーバ又はルータが故障したとき、及び／又は、無線信号の干渉が信号伝送を損なったときであっても、再生装置は再生を中断させることができる。アナウンス用のラウドスピーカによって発生されたオーディオ信号を受信するために、再生装置は、典型的には、それ自体のマイクロホンを備える。
【０００９】
オーディオ信号はアナウンス信号自体であってもよい。ここで、各再生装置には、オーディオ信号アナライザが提供され、オーディオ信号アナライザは、再生装置のマイクロホンに接続され、アナウンス信号を分析して識別し、特に、この信号を、客室の雑音又は乗客の音声などの他のオーディオ信号から区別する。再生装置によるアナウンス信号の受信が終了するとき、再生は継続される。オーディオ信号アナライザは、例えば、アナウンス用のラウドスピーカによって生成されたアナウンス信号の搬送波周波数、及び／又は、アナウンス信号の音響的な高調波の合計歪みを検出することができる。
【００１０】
代替又は追加として、アナウンス用のラウドスピーカから発生されてエンターテインメント装置によって検出されるオーディオ信号は、アナウンスの開始前に発生される音響的な前置信号であってもよい。例えば、前置信号は、再生を中断する２チャンネルの音であってもよい。アナウンスが終了した後、アナウンス用のラウドスピーカは、例えば特定の終了音の形式で、後置信号を放射してもよく、後置信号は、エンターテインメント装置によって検出され、再生装置による再生を継続させる。好ましくは、前置信号及び後置信号はそれぞれ、再生装置のマイクロホンによって検出される。
【００１１】
アナウンス装置は、例えば格納されたアナウンスを含んでいるデータサーバの形式で、アナウンスメモリを備えることができ、及び／又は、コンダクタ又は客室乗務員などの人によって話されたアナウンスを記録するためのマイクロホンを備えてもよい。
【００１２】
有利なことには、エンターテインメント装置又は再生装置によるオーディオ信号の受信は、さらに、再生装置における視覚的表示を発生させる。光学的表示は、アナウンスを実施していることを示すことにより、乗客の注意を促す。代替又は追加として、再生装置は、記録されたアナウンス信号を再生装置に出力されるテキストに変換する音声認識装置を備えることができる。これにより、聴覚に障害がある乗客もまた、アナウンスの内容を理解できるようになる。
【００１３】
代替又は追加として、再生装置は、アナウンスの可聴性を向上させるために、検出されたアナウンス信号を、例えば乗客座席におけるヘッドホンコネクタを介して、音響信号として発生する。
【図面の簡単な説明】
【００１４】
【図１】本発明の方法を実施するための構成の概略説明である。
【発明を実施するための形態】
【００１５】
以下のものは、図面を参照した本発明の実施形態の詳細な説明である。図面は、本発明の方法を実施するための構成の概略説明である。
【００１６】
実施形態は、飛行機中で行なわれるアナウンスに関する。飛行機には、アナウンスメモリ２２、アナウンスマイクロホン２４、及びアナウンス用のラウドスピーカ１４を備えるアナウンス装置１２が提供される。アナウンスメモリ２２は、典型的なアナウンスを格納することができる。さらに、マイクロホン２４は、アナウンス用のラウドスピーカ１４を介してリアルタイムで再生されたアナウンスの記録を可能にする。さらに、飛行機キャビン中に複数のアナウンス用のラウドスピーカ１４が設けられる。
【００１７】
飛行機は、少なくとも１つのデータサーバ２０、複数のＷＬＡＮルータ２６、及び複数の再生装置１８を備えるエンターテインメント装置１６をさらに備える。データサーバ２０は、個々の再生装置１８によって選択的に呼び出すことができるビデオフィルム、音楽データ、及びビデオゲームを格納する。各乗客座席は、各前方の乗客座席のバックレストに一体化された、いわゆる座席内モニタの形式の関連付けられた再生装置１８を有する。さらに、各再生装置１８は、関連付けられたオーディオデータの再生のためのヘッドホンコネクタ及びヘッドホン（図示せず）を有する。
【００１８】
データは再生装置１８を介して再生した最初にデータサーバ２０からＷＬＡＮルータ２６に有線で送信される。ＷＬＡＮルータ２６はデータを無線信号に変換し、無線信号は、再生装置の対応する無線受信機に送信される。代替又は追加として、データサーバ２０から再生装置１８までの送信を、無線で行うこともできる。
【００１９】
いったん客室乗務員がマイクロホン２４を用いて乗客へのアナウンスを行なうことを希望すると、まず、アナウンスメモリ２２は、エンターテインメント装置１６のデータサーバ２０に、例えば「ＰＡが進行中です」（ＰＡ：Public Announcement）という形式で、アナウンス開始信号２８を送信する。データサーバ２０は、各再生装置１８における再生を中断して光学的表示「ＰＡが進行中です」を表示するために、この信号をＷＬＡＮルータ２６を介して各再生装置１８に送信する。
【００２０】
同時に、アナウンスメモリ２２は、アナウンス信号を出力のためにアナウンス用のラウドスピーカ１４に送信し、ラウドスピーカは、アナウンス信号３２を音響の形式で出力する。アナウンス用のラウドスピーカ１４がアナウンス信号３２を発生する前に、アナウンスメモリ２２は、まず、アナウンス用のラウドスピーカ１４を介して出力された第２のオーディオ音の形式で、前置信号３０を放射させる。各再生装置１８には、マイクロホンが提供される。再生装置１８のマイクロホンにより前置信号３０を受信したとき、再生装置１８は、自動的に、ビデオ／オーディオデータの再生を中断する。この目的のために、各再生装置１８には、オーディオ信号プロセッサが提供される。前置信号を受信したとき、再生装置１８のモニタ上に「ＰＡが進行中です」というメッセージが表示される。
【００２１】
再生装置１８のラウドスピーカによって検出されたアナウンス信号３２は、再生装置のオーディオ信号プロセッサを介して再生装置１８のヘッドホンに送信される。さらに、オーディオ信号プロセッサがアナウンス信号３２の音声をテキストに変換する音声認識装置を含む場合、オーディオ信号プロセッサからのテキストを再生装置１８のモニタに出力することが特に好都合である。
【００２２】
アナウンスが終了したとき、データメモリ２０は、アナウンス用のラウドスピーカ１４を介して、ある周波数の終了音の形式で後置信号を送信する。後置信号が再生装置１８のマイクロホンを介して受信されたとき、再生装置は、ビデオ／オーディオデータの再生を継続させる。
【００２３】
各再生装置１８のオーディオ信号プロセッサは、さらに、搬送波周波数、すなわちアナウンス用のラウドスピーカ１４によって発生されたアナウンス信号３２の包絡線を検出し、搬送波周波数に基づいて、アナウンス信号３２と、乗客の音声又はエンジンの雑音などの他の音響信号とを区別することができる。追加又は代替として、各再生装置１８のオーディオ信号プロセッサは、アナウンス信号及び他の雑音を区別するために、ラウドスピーカ１４の音響的な高調波の合計歪み（ＴＨＤ：全高調波歪率）を検出するように構成されてもよい。
【００２４】
再生装置１８のオーディオ信号プロセッサがアナウンス信号３２の再生の終了を検出するとすぐに、それは再生装置１８にビデオ／オーディオデータの再生を継続させる。
2015512195.tif 000003
【国際調査報告】
2015512195.tif 000004
2015512195.tif 000005
2015512195.tif 000006
2015512195.tif 000007